(57)【要約】【課題】より電子腕時計の使用状態に対応して動作状態及び省電力状態の制御が可能な電子腕時計を提供する。【解決手段】電源部と、この電源部から各部へ通常の電力供給を行う通常状態と、これら各部のうち、予め設定された一部に供給する電力を低減させて機能の実行を制限する省電力状態との間での切り替えを制御する電力供給制御手段と、温度計測手段と、計測された温度から、所定の温度変化を検出する温度変化検出手段とを備え、電力供給制御手段は、温度変化検出手段による所定の温度変化の検出状況に基づいて切り替えの制御を行う。【選択図】図３
2014059228.tif 000002
【特許請求の範囲】
【請求項１】
電源部と、
当該電源部から各部へ通常の電力供給を行う通常状態と、前記各部のうち、予め設定された一部に供給する電力を低減させて当該一部に係る機能の実行を制限する省電力状態との間での切り替えを制御する電力供給制御手段と、
温度計測手段と、
当該温度計測手段により計測された温度から、所定の温度変化を検出する温度変化検出手段と
を備え、
前記電力供給制御手段は、前記温度変化検出手段による前記所定の温度変化の検出状況に基づいて前記切り替えの制御を行う
ことを特徴とする電子腕時計。
【請求項２】
前記電力供給制御手段は、前記省電力状態において、前記温度変化検出手段により前記所定の温度変化が検出された場合に、前記省電力状態を解除する第１省電力解除制御手段を備える
ことを特徴とする請求項１記載の電子腕時計。
【請求項３】
前記電力供給制御手段は、前記温度変化検出手段により、前記所定の温度変化が予め定められた所定期間に亘り検出されなかった場合に、前記省電力状態に移行させる第１省電力移行制御手段を備えることを特徴とする請求項１又は２記載の電子腕時計。
【請求項４】
照度計測手段を備え、
前記電力供給制御手段は、
前記照度計測手段により計測された照度が所定の第１閾値以下である期間の継続時間が予め設定された第１基準継続時間以上となった場合に、前記省電力状態に移行させる第２省電力移行制御手段と、
前記省電力状態において、前記照度計測手段が所定の第２閾値以上の照度を計測した場合に、当該省電力状態を解除させる第２省電力解除制御手段と、
当該第２省電力解除制御手段により前記省電力状態が解除されてから前記第１基準継続時間より短い第２基準継続時間以内に、前記温度変化検出手段により前記所定の温度変化が検出されない場合には、再度、前記省電力状態に移行させる第３省電力移行制御手段と
を備えることを特徴とする請求項１〜３の何れか一項に記載の電子腕時計。
【請求項５】
前記温度計測手段は、当該電子腕時計の装着時にユーザの腕と接触する面の温度変化を検出することを特徴とする請求項１〜４の何れか一項に記載の電子腕時計。
【請求項６】
前記温度変化検出手段は、前記省電力状態において、所定の時間間隔で前記温度計測手段から温度計測値を取得し、当該所定の時間間隔の間に基準変化量以上の温度差が検出された場合、当該検出タイミング以後に計測された温度から前記所定の温度変化の検出を行う
ことを特徴とする請求項１〜５の何れか一項に記載の電子腕時計。
【発明の詳細な説明】
【技術分野】
【０００１】
この発明は、電子腕時計に関する。
【背景技術】
【０００２】
以前より、不使用状態や情報の視認が困難な暗闇状態を判定して通常状態と省電力状態（スリープ状態）との間で自動的に切り替える機能を備えた電子機器がある。このような電子機器として、例えば、光センサを備え、所定時間に亘って閾値レベル以上の光量が計測されなかった場合に省電力状態に移行して、デジタル表示画面への表示を中止したり、アナログ表示に係る指針の動作を制限したりすることで電力消費を制御する技術が用いられている電子腕時計がある。この電子腕時計では、省電力状態へ移行するまでの所定時間が比較的長め（例えば、数時間）に設定され、ユーザの使用中に誤って省電力状態に移行することが頻繁に起きないようになっている。
【０００３】
また、通信機能を備えた画像形成装置（ファクシミリ装置）において、画像形成用の定着ヒータや駆動モータの電源が先に切断されて装置内部の温度が所定温度よりも低下した場合に、更に、ＣＰＵの動作を制限するスリープモードに移行させる技術が開示されている（特許文献１）。
【０００４】
一方、省電力状態から通常状態への復帰に関しては、ユーザが電子機器を使用したい時にいつまでも省電力状態が維持されていては困るという要求がある。そこで、電子腕時計では、従来、光センサが基準値以上の光量を検出すると、速やかに通常状態に復帰する設定となっている。
【先行技術文献】
【特許文献】
【０００５】
【特許文献１】特開２００２−３００３２９号公報
【発明の概要】
【発明が解決しようとする課題】
【０００６】
しかしながら、従来の電子腕時計では、照度の計測に基づき、ユーザの情報視認可能性に応じた電力供給の制御がなされるので、電子腕時計の使用状態に即したものではなく、必ずしも有効に動作状態及び電力消費を制御することができない場合があるという課題がある。
【０００７】
この発明の目的は、より電子腕時計の使用状態に対応して動作状態及び省電力状態の制御が可能な電子腕時計を提供することにある。
【課題を解決するための手段】
【０００８】
本発明は、上記目的を達成するため、
電源部と、
当該電源部から各部へ通常の電力供給を行う通常状態と、前記各部のうち、予め設定された一部に供給する電力を低減させて当該一部に係る機能の実行を制限する省電力状態との間での切り替えを制御する電力供給制御手段と、
温度計測手段と、
当該温度計測手段により計測された温度から、所定の温度変化を検出する温度変化検出手段と
を備え、
前記電力供給制御手段は、前記温度変化検出手段による前記所定の温度変化の検出状況に基づいて前記切り替えの制御を行う
ことを特徴とする電子腕時計である。
【発明の効果】
【０００９】
本発明に従うと、電子腕時計において、より電子腕時計の使用状態に対応して動作状態及び省電力状態の制御が可能となるという効果がある。
【図面の簡単な説明】
【００１０】
【図１】本発明の実施形態の電子腕時計の内部構成を示すブロック図である。
【図２】電子腕時計で実行される電力供給制御処理の制御手順を示すフローチャートである。
【図３】電力供給制御の具体例を説明する図である。
【図４】電力供給制御の具体例を説明する図である。
【発明を実施するための形態】
【００１１】
以下、本発明の実施の形態を図面に基づいて説明する。
図１は、本発明の実施形態の電子腕時計１の内部構成を示すブロック図である。
【００１２】
電子腕時計１は、時針１１と、分針１２と、秒針１３と、輪列機構２１、２３と、ステッピングモータ３１、３３と、駆動回路４１と、表示部４５及びそのドライバ４４と、ＣＰＵ（Central Processing Unit）５１（電力供給制御手段、温度変化検出手段、第１省電力解除制御手段、第１省電力移行制御手段、第２省電力移行制御手段、第２省電力解除制御手段、第３省電力移行制御手段）と、ＲＯＭ（Read Only Memory）５２と、ＲＡＭ（Random Access Memory）５３と、発振回路５４と、分周回路５５と、計時回路５６と、電源部５７と、操作部５８と、電波受信部５９と、アンテナ６０と、照度センサ６１（照度計測手段）と、比較部６２と、温度センサ６３（温度計測手段）と、比較部６４と、ＡＤＣ６５（アナログデジタル変換部）などを備えている。
【００１３】
時針１１及び分針１２は、ステッピングモータ３１が駆動されるごとに輪列機構２１を介して伝達された回転に応じ、連動して回転移動する。秒針１３は、ステッピングモータ３３が駆動されるごとに輪列機構２３を介して伝達された回転に応じて回転移動する。駆動回路４１は、ＣＰＵ５１からの制御信号によりステッピングモータ３１、３３に所定の駆動パルスを出力する。
【００１４】
表示部４５は、デジタル表示画面、例えば、液晶ディスプレイを含む。この表示部４５は、ドライバ４４からの駆動信号に基づいて各種情報をデジタル表示画面に表示させる。
【００１５】
ＣＰＵ５１は、電子腕時計１の全体動作を統括制御し、各種演算処理を行う。ＣＰＵ５１は、ＲＯＭ５２に記憶された制御プログラムを読み出して実行し、時刻表示動作や電力供給に係る制御動作を行う。このＣＰＵ５１は、電力供給状態に応じ、低いクロック周波数に応じて限定動作を行うことが可能であっても良い。
【００１６】
ＲＯＭ５２には、ＣＰＵ５１は電子腕時計１の各種動作を制御するための制御プログラムが格納されており、電子腕時計１の起動時や、各種機能の実行時にこれらの制御プログラムが必要に応じて読み出される。
ＲＡＭ５３は、ＣＰＵ５１に作業用のメモリ空間を提供し、一時データや設定情報を記憶する揮発性メモリである。このＲＡＭ５３に記憶される一時データには、電力供給状態の切り替えに係る所定状態の継続時間や設定に係るデータが含まれる。また、ＲＡＭ５３には、所定期間（例えば、２４時間）分の温度変化履歴を記憶する温度変化履歴記憶部５３ａが含まれる。なお、この温度変化履歴記憶部５３ａには、必ずしも所定期間分すべての温度データを記憶させておく必要はなく、例えば、直近の１時間分の温度データと、それ以前２３時間における所定の温度変化の検出有無を示す情報とを記憶させておくことも可能である。
【００１７】
発振回路５４は、予め定められた一定の周波数信号を発生して出力する。この発振回路５４は、特には限られないが、例えば、水晶発振回路である。
分周回路５５は、発振回路５４から入力された周波数信号をＣＰＵ５１や計時回路５６が利用する各種周波数の信号に分周して出力する。
計時回路５６は、分周回路５５から入力された周波数信号の回数を計数し、設定された初期時間に加算していくことで現在時刻を計数するカウンタである。
【００１８】
電源部５７は、電子腕時計１の各部に必要な電力を供給する。この電源部５７は、例えば、ソーラー発電を行う発電部と、電力を蓄える蓄電部とを備え、電子腕時計１の外部から照射された光の光量に応じて発電部及び／または蓄電部から略定電圧を供給する。或いは、この電源部５７は、ボタン型電池などの一次電池であっても良い。電源部５７から各部への電力供給は、ＣＰＵ５１からの制御信号に基づいて部分的にカットされることが可能に構成されている。
【００１９】
操作部５８は、例えば、りゅうずや押しボタンスイッチを有し、ユーザによる入力操作を電気信号に変換して入力信号としてＣＰＵ５１に出力する。
【００２０】
電波受信部５９は、アンテナ６０を介して標準電波を受信し、復調された信号をＣＰＵ５１に出力する。この復調された信号がＣＰＵ５１で解読されることで時刻情報が取得され、この時刻情報に基づいて計時回路５６の計数する現在時刻が必要に応じて修正される。
【００２１】
照度センサ６１は、電子腕時計１の所定の部位に照射される光の照度を計測する。この照度センサ６１は、例えば、照度に応じた電圧信号を比較部６２に出力する。そして、比較部６２では、予め設定された照度レベルに対応する閾値電圧と、照度センサ６１から入力された電圧とがコンパレータなどにより比較され、比較結果に応じた信号がＣＰＵ５１に出力される。この照度センサ６１は、電源部５７の発電部に係る起電力を利用するものであっても良い。また、比較部６２は、単に比較結果を二値出力するだけではなく、電圧差データを出力する構成であっても良い。或いは、照度センサ６１の出力を直接ＣＰＵ５１に出力してＣＰＵ５１が照度判定及び制御を行っても良い。
【００２２】
温度センサ６３は、電子腕時計１のケーシング内部で温度を計測する。この温度センサ６３には、例えば、小型軽量の半導体センサが用いられ、ＣＰＵ５１、ＲＯＭ５２、ＲＡＭ５３などの各部品と同一基板のＩＣチップ上に一体的に設けることができる。また、この電子腕時計１では、温度センサ６３は、電子腕時計１のケーシングの裏面、即ち、表示面と反対側の面であって、ユーザが腕に装着する際に接触する面の温度変化を検出しやすい構成となっている。ケーシングの材質や厚さは、熱伝導性が良好で、ユーザの腕との接触有無や、ケーシング外部の温度変化に対応して速やかに温度変化しやすいものが選択される。
温度センサ６３の計測値は、比較部６４とＡＤＣ６５とに出力される。比較部６４は、この温度センサ６３により計測された直近の温度と、前回測定された温度とを比較し、所定の温度差以上が検出された場合にその旨を知らせる報知信号を出力する構成となっている。ＡＤＣ６５は、ＣＰＵ５１からの制御信号に基づき必要な場合にのみ、温度センサ６３の計測値を所定のサンプリング周波数でデジタル化してＣＰＵ５１に出力する。なお、比較部６４を用いずに、ＡＤＣ６５の出力データをＣＰＵ５１で処理することとしても良い。
【００２３】
次に、本実施形態の電子腕時計１の電力供給動作について説明する。
電子腕時計１では、常駐プログラムにより照度センサ６１と温度センサ６３の計測結果を継続的に監視し、通常の電力供給状態（通常状態）と省電力状態の間での切り替えを行う。省電力状態では、例えば、秒針１３の動作を停止させたり、表示部４５の表示を中止させたり、或いは、標準電波の受信及び時刻修正に係る処理を中止したりする。
【００２４】
図２は、本実施形態の電子腕時計１において実行される電力供給制御処理のＣＰＵ５１による制御手順を示すフローチャートである。
【００２５】
この電力供給制御処理は、電子腕時計１の電源がオンされた際に呼び出されて起動され、電子腕時計１が動作している間、常駐するプログラムである。
電力供給制御処理が開始されると、ＣＰＵ５１は、先ず、通常状態での電力供給を開始する（ステップＳ１１）。それから、ＣＰＵ５１は、照度センサ６１から取得された照度の計測値が第１閾値レベル以下であるか否かを判別する（ステップＳ１２）。照度が第１閾値レベル以下ではないと判別された場合には（ステップＳ１２で“ＮＯ”）、ＣＰＵ５１の処理は、ステップＳ１４に移行する。このとき、照度がこの第１閾値レベル以下である状態の継続時間（所定期間、第１基準継続時間）が「０」ではない場合には、継続時間をリセットして時間の計数を停止する。
【００２６】
照度が第１閾値レベル以下であると判別された場合には（ステップＳ１２で“ＹＥＳ”）、次に、ＣＰＵ５１は、照度がこの第１閾値レベル以下である状態の継続時間が第１基準時間以上であるか否かを判別する（ステップＳ１３）。第１基準時間以上であると判別された場合には（ステップＳ１３で“ＹＥＳ”）、ＣＰＵ５１の処理は、ステップＳ１６に移行する。一方、第１基準時間以上ではないと判別された場合には（ステップＳ１３で“ＮＯ”）、ＣＰＵ５１の処理は、ステップＳ１４に移行する。このとき、継続時間が「０」である場合には、ＣＰＵ５１は、継続時間の計数を開始する。
【００２７】
ステップＳ１２又はステップＳ１３の判別処理からステップＳ１４の処理に移行すると、ＣＰＵ５１は、温度センサ６３で計測され、ＡＤＣ６５でデジタル変換された計測値のデータを取得して、温度変化履歴記憶部５３ａに記憶させる温度ログを更新する。それから、ＣＰＵ５１は、ユーザによる電子腕時計１の使用に係る所定の温度変化が当該温度ログ中では発生していないか否かを判別する（ステップＳ１５）。この所定の温度変化については、後述する。所定期間に亘り、この所定の温度変化が検出されていないとは判別されない場合（ステップＳ１５で“ＮＯ”）、即ち、現在の通常状態が開始されてから未だ所定期間が経過していない場合、又は、通常状態において最後に所定の温度変化が検出されてから所定期間が経過していない場合には、ＣＰＵ５１の処理は、ステップＳ１２に戻る。一方、所定期間に亘り、この温度変化が検出されていないと判別された場合には（ステップＳ１５で“ＹＥＳ”）、ＣＰＵ５１の処理は、ステップＳ１６に移行する。なお、この所定期間の経過は、温度ログの内容から判断可能であるので、必ずしも経過時間を計数する必要は無い。
【００２８】
ステップＳ１３の判別処理、又は、ステップＳ１５の判別処理で“ＹＥＳ”に分岐して、ＣＰＵ５１の処理がステップＳ１６に移行すると、ＣＰＵ５１は、電子腕時計１を省電力状態に移行させ、予め定められた各部への電力供給を制限する。ここで、省電力状態に移行すると、温度ログの更新は、中止される。
【００２９】
次に、省電力状態において、ＣＰＵ５１は、所定の時間間隔で、照度センサ６１から取得された照度の計測値が第２閾値以上であるか否かを判別する（ステップＳ１７）。第１閾値と第２閾値との大小関係は、適宜設定されるが、ここでは等しい値とする。第２閾値以上ではないと判別された場合には（ステップＳ１７で“ＮＯ”）、ＣＰＵ５１は、比較部６４の出力に基づき直近２回の温度計測に所定レベル（基準変化量）以上の温度差があったか、又は、温度ログを取得中であるか否かを判別する（ステップＳ１８）。温度変化がなく、且つ、温度ログの取得中でもないと判別された場合には（ステップＳ１８で“ＮＯ”）、ＣＰＵ５１の処理は、ステップＳ１７に戻る。
【００３０】
温度変化があったか、又は、温度ログの取得中であると判別された場合には（ステップＳ１８で“ＹＥＳ”）、ＣＰＵ５１は、温度変化履歴記憶部５３ａに温度変化のログを順次記憶させる（ステップＳ１９）。ＣＰＵ５１は、記憶された温度ログ中に、所定の温度変化があるか否かを判別する（ステップＳ２０）。所定の温度変化がないと判別された場合には（ステップＳ２０で“ＮＯ”）、ＣＰＵ５１は、温度ログの取得開始から第２基準時間（第２基準継続時間、＜第１基準時間）が経過したか否かを判別する（ステップＳ２１）。第２基準時間が経過したと判別された場合には（ステップＳ２１で“ＹＥＳ”）、ＣＰＵ５１は、当該温度ログの取得を中止し、ログデータを破棄する（ステップＳ２２）。それから、ＣＰＵ５１の処理は、ステップＳ１７に戻る。第２基準時間が経過していないと判別された場合には（ステップＳ２１で“ＮＯ”）、ＣＰＵ５１の処理は、そのままステップＳ１７に戻る。
【００３１】
温度ログ中に所定の温度変化があると判別された場合には（ステップＳ２０で“ＹＥＳ”）、ＣＰＵ５１は、省電力状態を解除して、通常の電力供給状態に戻す（ステップＳ２３）。そして、ＣＰＵ５１の処理は、ステップＳ１２に戻る。
【００３２】
一方、照度センサ６１から取得された照度の計測値が第２閾値以上であると判別された場合には（ステップＳ１７で“ＹＥＳ”）、ＣＰＵ５１は、電力供給状態を通常状態に移行させ（ステップＳ２４）、また、温度変化履歴記憶部５３ａに温度ログを記憶させる処理を開始させる（ステップＳ２５）。ＣＰＵ５１は、記憶された温度ログ中に所定の温度変化があるか否かを判別する（ステップＳ２６）。所定の温度変化があると判別された場合には（ステップＳ２６で“ＹＥＳ”）、ＣＰＵ５１の処理は、ステップＳ１２に戻り、通常状態における普通の処理ループ（ステップＳ１２〜Ｓ１５）に入る。所定の温度変化がないと判別された場合には（ステップＳ２６で“ＮＯ”）、ＣＰＵ５１は、続いて、ステップＳ２４の処理で省電力状態が解除されてから第２基準時間が経過したか否かを判別する（ステップＳ２７）。第２基準時間が経過していないと判別された場合には（ステップＳ２７で“ＮＯ”）、ＣＰＵ５１の処理は、ステップＳ２５に戻り、引き続き温度ログの取得を継続する。一方、第２基準時間が経過したと判別された場合には（ステップＳ２７で“ＹＥＳ”）、ＣＰＵ５１の処理は、ステップＳ１６に移行し、ＣＰＵ５１は、電子腕時計１を再び省電力状態に移行させる。
【００３３】
次に、電力供給制御処理における検出対象である温度変化について説明する。
電子腕時計１が利用されていない場合には、温度センサ６３は、通常、ゆっくりとした日変化、又は、略一定の室温を計測し、短いタイムスケールでの大きな温度変化を検出しない。これに対し、ユーザが電子腕時計１を使用する場合、ユーザが腕時計を腕に装着することによる体温の熱伝導での温度の上昇、ユーザが腕時計と共に室内と室外といった異なる温度環境へ移動することによる温度の変化、及び、ユーザによる洗顔や手洗いなどに際して水がかかることによる温度変化などにより、上記日変化と比較して短い時間スケールで温度計測値に変化が生じる。この短い時間スケールは、外部温度変化（例えば、ステップ状）に対する電子腕時計１のケーシングの応答速度、即ち、熱伝導率や、電子腕時計１の密閉状況などによって定まる値であり、例えば、十秒や数分程度である。従って、電子腕時計１では、この短い時間スケールでの急激な温度変化に係る温度変化率の値やその推移を所定の温度変化として検出することで、ユーザの使用状態を判別している。
【００３４】
図３、図４は、本実施形態の電子腕時計１において電力供給制御に係る切り替えが行われる具体例を説明するための図である。各図には、照度センサ６１により計測された照度、温度センサ６３により計測された温度の変化、及び、電力供給状態をそれぞれ示している。
【００３５】
図３（ａ）、（ｂ）には、それぞれ、温度の計測値の変化に基づいて省電力状態が解除される場合の例を示している。図３（ａ）に示す例では、通常状態において（ステップＳ１１）、照度の計測値が照度閾値以下となったタイミング（ｅ）から経過時間が計数され（ステップＳ１２で“ＹＥＳ”、ステップＳ１３で“ＮＯ”、ステップＳ１４、ステップＳ１５で“ＮＯ”）、経過時間が第１基準時間に達したタイミング（ｆ）において（ステップＳ１３で“ＹＥＳ”）、電力供給が通常状態から省電力状態に移行する（ステップＳ１６）。その後、例えば、電子腕時計１がユーザの腕に装着されると、照度の計測値が基準照度以下のままであっても（ステップＳ１７で“ＮＯ”）、温度センサ６３が急激な温度上昇を計測することで（ステップＳ１８で“ＹＥＳ”、ステップＳ１９、ステップＳ２０で“ＹＥＳ”）、タイミング（ｇ）において省電力状態が解除され（ステップＳ２３）、通常状態に復帰する。温度変化は、ユーザの腕の温度と、腕に接するケーシングの部分の温度とが近づくにつれて緩やかになってまもなく一定になる。
【００３６】
一方、図３（ｂ）に示す例では、同様に、通常状態において（ステップＳ１１）、照度の計測値が基準照度以下となったタイミング（ｅ）から経過時間が計数されて（ステップＳ１２で“ＹＥＳ”、ステップＳ１３で“ＮＯ”、ステップＳ１４、ステップＳ１５で“ＮＯ”）、タイミング（ｆ）において第１基準時間が経過して（ステップＳ１３で“ＹＥＳ”）、電力供給が通常状態から省電力状態に移行する（ステップＳ１６）。その後、例えば、ユーザが暗所で（ステップＳ１７で“ＮＯ”）手袋の上から腕時計をしたような場合でも、屋内から低温の屋外に出た際に温度センサ６３が急激な温度低下を計測することで（ステップＳ１８で“ＹＥＳ”、ステップＳ１９、ステップＳ２０で“ＹＥＳ”）、タイミング（ｇ）において省電力状態が解除され（ステップＳ２３）、通常状態に復帰する。
【００３７】
図４（ａ）、（ｂ）には、それぞれ、温度の計測値が無変化の場合の電力供給制御の例を示している。図４（ａ）に示す例では、例えば、通常状態において（ステップＳ１１）、電子腕時計１が引き出しに仕舞われて照度の計測値が照度閾値以下となったタイミング（ｅ）（ステップＳ１２で“ＹＥＳ”）から経過時間が計数され（ステップＳ１３で“ＮＯ”、ステップＳ１４、ステップＳ１５で“ＮＯ”）、経過時間が第１基準時間に達したタイミング（ｆ）（ステップＳ１３で“ＹＥＳ”）で電力供給が通常状態から省電力状態に移行する（ステップＳ１６）。その後、タイミング（ｇ）において、引き出しが一時的に開けられた際に外光が電子腕時計１に短時間照射されて省電力状態が解除される（ステップＳ１７で“ＹＥＳ”、ステップＳ２４）。しかしながら、この解除のタイミング（ｇ）から第２基準時間に亘りユーザの利用を示す温度変化が検出されないことで（ステップＳ２５、ステップＳ２６で“ＮＯ”、ステップＳ２７）、タイミング（ｈ）において（ステップＳ２７で“ＹＥＳ”）、通常の省電力状態への移行に要する時間より短い間隔で速やかに再度省電力状態に移行する（ステップＳ１６）。
【００３８】
図４（ｂ）に示す例では、通常状態において（ステップＳ１１）、タイミング（ｉ）からタイミング（ｊ）の間、照度センサ６１により計測される照度は、継続して照度閾値以上である（ステップＳ１２で“ＮＯ”）。しかしながら、同期間において、温度センサ６３により計測される温度にも変化が計測されない（ステップＳ１４、ステップＳ１５で“ＮＯ”）。このように温度センサ６３の計測する温度に長期間変化が検出されない場合には、ユーザに電子腕時計１が利用されていないと判断し、タイミング（ｉ）から所定期間経過後のタイミング（ｊ）において省電力状態に移行する（ステップＳ１５で“ＹＥＳ”、ステップＳ１６）。
【００３９】
以上のように、本実施形態の電子腕時計１は、ＣＰＵ５１により電力供給を通常状態と省電力状態との間で切り替え制御可能な電子腕時計であって、温度センサ６３を備え、この温度センサ６３の計測データによりユーザの利用を特徴付ける温度変化を検出して、この検出状況に基づいて電子腕時計１の各部への電力供給を通常状態と省電力状態との間で切り替え制御するので、周囲の明暗の状態、即ち、ユーザによる情報の視認可能性によって省電力状態が切り替えられる場合と比較して、ユーザの利用状態に応じてより有効に省電力状態との間で切り替えを行って効率的に動作させることが出来る。
【００４０】
また、温度センサ６３のような簡易な構成を利用し、更に、発振回路５４や電波受信部５９などで温度補償用に用いられるものを流用したりすることも可能なので、特別な構成でスペースを圧迫したり特別に製造コストを上昇させたりすることなく容易に省電力状態の制御を行うことができる。
【００４１】
また、温度の絶対値ではなく、温度変化に基づいて省電力状態の切り替え制御を行うので、季節や地理環境に依存せずにユーザの使用状態の判定を行うことが出来る。また、ユーザが手袋などを利用して腕時計とユーザの腕が直接接触しないような場合であっても、周囲の環境変化に基づいてユーザの使用状態の判定を行うことができる。
【００４２】
また、温度変化の検出を省電力状態から通常状態への復帰のトリガとして用いることで、暗所、特に、情報の視認が可能な程度の薄暗い場所でも不要なボタン操作を行わずに通常状態に復帰させることができる。
【００４３】
また、一方で、所定期間、特に、一日以上など、長期間に亘りユーザの利用に係る温度変化が検出されない場合には、周囲の明暗状態に関わらず省電力状態に移行させることが出来るので、昼間や照明の灯された室内であっても不使用のまま放置されている場合、例えば、出荷前や販売前などに倉庫に積まれている場合や、利用されずに開放棚に放置されている場合などに省電力状態に移行させて、電力消費を低減させることができる。
【００４４】
また、照度センサ６１による従来の省電力状態判定と併用することで、暗所での消費電力抑制とを効率よく使い分けることができる。特に、使用されずに暗所に保管されている電子腕時計１に対し、一時的に光が入射したような場合に、通常状態に復帰した後、ユーザの不使用を検出して、速やかに再度省電力状態に戻すことができるので、ソーラー発電による蓄電が困難な状況が継続する際の電力消費を速やかに低減させることができる。
【００４５】
また、特に、電子腕時計１において、ユーザの腕と接触するケーシングの底面から伝わる熱による温度変化を検出できるように温度センサ６３を配置、設定することで、より確実にユーザの使用状況の判別を行うことができる。
【００４６】
また、常に温度ログをＲＡＭ５３の温度変化履歴記憶部５３ａに記憶させる訳ではなく、比較部６４による前回温度との差のみを検出することで、内部処理に係る消費電力を低減させることができる。
【００４７】
なお、本発明は、上記実施の形態に限られるものではなく、様々な変更が可能である。
例えば、上記実施の形態では、温度センサ６３と照度センサ６１とを併用して簡易且つより効率的に省電力状態の切り替え制御を行ったが、本発明は、照度センサ６１を利用した電子腕時計に限られない。本発明に係る電子腕時計の電力供給に係る制御動作を温度センサ６３の計測値のみに基づいて行わせることとしても良いし、或いは、照度センサ６１の代わりに他のセンサ、例えば、加速度センサを併用してもよい。
【００４８】
また、上記実施の形態では、温度の変化率を用いてユーザの使用を検出、判別したが、検出条件に、最小限の温度差を併せて設定しても良い。
【００４９】
また、上記実施の形態では、省電力状態では温度ログの更新も中止することとしたが、電力消費の低減を妨げない範囲で温度ログの更新を続けても良い。逆に、通常状態であっても温度変化のない場合には温度の計測値を全く記憶させず、温度変化が無いことを示す情報、例えば、計測開始時刻の情報や、最後に温度変化が計測された時刻の情報のみを記憶させておくこととしてもよい。
【００５０】
また、上記実施の形態では、温度センサ６３の計測データに係る省電力状態への移行及び復帰の条件は、照度センサ６１の計測データに係る条件とは独立に設定されたが、省電力状態への移行及び復帰に係る条件として、温度センサ６３の計測値と照度センサ６１の計測値とを組み合わせたものを設定しても良い。例えば、温度センサ６３により所定の温度変化が検出されず、且つ、照度センサ６１により第１閾値より高い閾値照度以下の照度が計測されている場合に省電力状態へ移行させたり、温度センサ６３により所定の温度変化が検出され、且つ、照度センサ６１により第２閾値より低い閾値照度以上の照度が計測された場合に省電力状態を解除させたりすることとしても良い。
【００５１】
また、上記実施の形態では、温度変化の非検出による省電力状態への移行に係る所定期間を、例えば、２４時間として説明したが、ユーザの使用状況に応じて可変とすることができる。例えば、一定の室温の部屋内に篭って徹夜作業が続くような場合に対応させて、より長い時間に設定してもよいし、逆に、数時間などのより短い時間でも温度変化がない場合には、例えば、コンピュータ等他の機器からの時刻情報の取得などにより、腕時計が携帯されていても実際には時刻表示に係る機能がユーザに使用されていないと判断して、省電力状態に移行可能としてもよい。
その他、具体的な数値や構成などの細部は、本発明の趣旨を逸脱しない範囲において適宜変更可能である。
【００５２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５３】
［付記］
＜請求項１＞
電源部と、
当該電源部から各部へ通常の電力供給を行う通常状態と、前記各部のうち、予め設定された一部に供給する電力を低減させて当該一部に係る機能の実行を制限する省電力状態との間での切り替えを制御する電力供給制御手段と、
温度計測手段と、
当該温度計測手段により計測された温度から、所定の温度変化を検出する温度変化検出手段と
を備え、
前記電力供給制御手段は、前記温度変化検出手段による前記所定の温度変化の検出状況に基づいて前記切り替えの制御を行う
ことを特徴とする電子腕時計。
＜請求項２＞
前記電力供給制御手段は、前記省電力状態において、前記温度変化検出手段により前記所定の温度変化が検出された場合に、前記省電力状態を解除する第１省電力解除制御手段を備える
ことを特徴とする請求項１記載の電子腕時計。
＜請求項３＞
前記電力供給制御手段は、前記温度変化検出手段により、前記所定の温度変化が予め定められた所定期間に亘り検出されなかった場合に、前記省電力状態に移行させる第１省電力移行制御手段を備えることを特徴とする請求項１又は２記載の電子腕時計。
＜請求項４＞
照度計測手段を備え、
前記電力供給制御手段は、
前記照度計測手段により計測された照度が所定の第１閾値以下である期間の継続時間が予め設定された第１基準継続時間以上となった場合に、前記省電力状態に移行させる第２省電力移行制御手段と、
前記省電力状態において、前記照度計測手段が所定の第２閾値以上の照度を計測した場合に、当該省電力状態を解除させる第２省電力解除制御手段と、
当該第２省電力解除制御手段により前記省電力状態が解除されてから前記第１基準継続時間より短い第２基準継続時間以内に、前記温度変化検出手段により前記所定の温度変化が検出されない場合には、再度、前記省電力状態に移行させる第３省電力移行制御手段と
を備えることを特徴とする請求項１〜３の何れか一項に記載の電子腕時計。
＜請求項５＞
前記温度計測手段は、当該電子腕時計の装着時にユーザの腕と接触する面の温度変化を検出することを特徴とする請求項１〜４の何れか一項に記載の電子腕時計。
＜請求項６＞
前記温度変化検出手段は、前記省電力状態において、所定の時間間隔で前記温度計測手段から温度計測値を取得し、当該所定の時間間隔の間に基準変化量以上の温度差が検出された場合、当該検出タイミング以後に計測された温度から前記所定の温度変化の検出を行う
ことを特徴とする請求項１〜５の何れか一項に記載の電子腕時計。
【符号の説明】
【００５４】
１     電子腕時計
１１   時針
１２   分針
１３   秒針
２１   輪列機構
２３   輪列機構
３１   ステッピングモータ
３３   ステッピングモータ
４１   駆動回路
４４   ドライバ
４５   表示部
５１   ＣＰＵ
５２   ＲＯＭ
５３   ＲＡＭ
５３ａ 温度変化履歴記憶部
５４   発振回路
５５   分周回路
５６   計時回路
５７   電源部
５８   操作部
５９   電波受信部
６０   アンテナ
６１   照度センサ
６２   比較部
６３   温度センサ
６４   比較部
６５   ＡＤＣ
【図１】
2014059228.tif 000003
【図２】
2014059228.tif 000004
【図３】
2014059228.tif 000005
【図４】
2014059228.tif 000006